Podtech/llm-jp-corpus-v4-ja_patent huggingface dataset:
(57)【要約】      （修正有）【課題】ゴルフパット距離強度を異にしても制限のある場所の範囲内でおよそ予測のパット練習ができるゴルフ練習機を提供する。【解決手段】ゴルフパットに必要な方向性を良くするために、パット強度感知部１に正確に命中するとそのボールの強度最大値が目盛り表示されるようにした。又目盛り表示２の代わりにパット強度感知装置を信号に変換し数字に置き換えて表示すれば手元での操作も可能となる。パット距離強度の表示が正確であるかを確かめるために専用スティンプメータがある。以上のように制限のある範囲内でのパット練習を距離強度が異なってもできるようにした。【選択図】図１
2008142499.tif 000002
【特許請求の範囲】
【請求項１】
パット距離強度を異にしても制限ある場所の範囲内でパット練習ができるように図１、１の強度感知部に命中したボールの距離強度を目盛りで表示または信号に変換し数字で表示したゴルフパット練習機。
【請求項２】
図３は上記請求項１が適正数値を計る専用スティンプメータ。
【発明の詳細な説明】
【技術分野】
【０００１】  本発明は、ゴルフパット距離強度を異にしても制限のある場所の範囲内でおよそ予測のパット練習ができるゴルフ練習機に関する。
【背景技術】
【０００２】  従来のゴルフパット練習機の多くは練習距離に制限があり３メートル程度のものと思われる。
【発明の開示】
【発明が解決しようとす課題】
【０００３】  ゴルフ競技のショットでパットはボールをグリーンの上を転がしホールインさせるものである。
【０００４】  ゴルフ技術でパットは唯一空中を飛球させないショットである。
【０００５】  ホールカップに直接落下しホールインした場合以外は、限りなくホールカップの近くに停止させることを目的として行う行為がゴルフパット技術である。
【０００６】  ゴルフパットはホールカップまでのおよそ予測距離に対して、パタークラブの振幅の度合と力を入れる加減である
【０００７】  パット練習に適した場所以外でのパット練習には制限のあるパット練習機等での練習を余儀なくされる。
【０００８】  従来のゴルフパット練習機の多くは練習距離に制限があり３メートル程度のものと思われる。
【０００９】  およそ予測距離のパット練習を行ってもパット距離の目安となる計がなければ相対性をもったものとはいえない。
【００１０】  ゴルフ競技の特性として競技するゴルフ場の地理の変化や管理状態でグリーンスピードは異なり、あらゆる条件を想定してパット練習をしておく必要がある。
【課題を解決するための手段】
【００１１】  ある強度でパットされたボールはその強度に応じて自然に停止するまで転がり続ける。
【００１２】  本発明はパット練習したボールが正確に的に命中したときの強度を目盛りまたは数字に置き換えて確認できるようにした。
【発明の効果】
【００１３】  上述のように本発明のゴルフパット練習機は制限のある場所の範囲内で距離強度と方向性とを練習できる。
【発明の実施するための最良の形態】
【００１４】  本発明はパット練習したボールが的に命中したとき目盛り表示又は数字表示されるので技術の習熟度で的の大きさを加減するようにする。
【００１５】  図１，２は目盛り表示の一例で的に命中したボールの最大値が表示される。表示された目盛りで距離強度を推し測る。
【００１６】  図２は数字表示の一例で的に命中したボールの最大値が数字で表示される。表示された数字で距離強度を推し測る。この場合は装置の仕様で表示パネルを手元に置くことができる。
【００１７】  図３はゴルフボールがグリーンの平らな場所で自然に停止する目安となる目盛りがある。
【００１８】  本発明機で表示された目盛り又は数字が図３の適切な目盛りより転がし図１，１に命中させ本発明機で計測することで互いの値の相対性を確認する。以上のように制限のある場所の範囲内でのゴルフパット距離強度の異なった練習ができるようにしたものである。
【図面の簡単な説明】
【００１９】
【図１】本発明のパット練習機の組立て図。
【図２】本発明のパット練習機数字表示型操作表示画面図。
【図３】専用スティプメータ図。
【符号の説明】
【００２０】  １  パット距離強度感知部
２  パット距離目盛り表示計
３  パット距離数字表示計
【図１】
2008142499.tif 000003
【図２】
2008142499.tif 000004
【図３】
2008142499.tif 000005
(57)【要約】【課題】  高インピーダンスで不安定なターゲットである生体の安定した計測を行う。【解決手段】  １〜数個のパルス電流を流し電圧波形の変化を調べ、問題無い場合のみ、再度１〜数個のパルス電流を流し、その直後にパルス電流を測定し、次に電圧を測定する。【選択図】図１
2008142494.tif 000002
【特許請求の範囲】
【請求項１】
パルスにて生体の電圧・電流を測定する場合、まず１〜数個のパルス電流を流して、その後、電圧の値及び振れを測定し十分、安定したことを確認し、その後、再び１〜複数個のパルス電流を流し、電流及び電圧を測定する方法。
【発明の詳細な説明】
【発明の詳細な説明】
【技術分野】
【０００１】本発明は医療の分野において健康状態のバロメーターとして電圧、電流、抵抗（電圧／電流）、を測定し健康状態の微妙で正確な判定をしようとするものである。
【背景技術】
【０００２】いままでは、直接、電圧を測定し、次にパルス電流を流し、電流を測定していたため、バラツキが大きかった。
【発明が解決しようとする課題】
【０００３】生体の電圧、電流は人により時間により、また部位により大きく変わる、その変化の上に計測値にバラツキがあると精度の高い判定が出来ないし、信頼性を疑われるものであった。この問題を解決するため、あるポイントにて、安定したデーターを得る方法を確立しようとするものである。
【発明が解決しようとする手段】
【０００４】上記の要望により、いろいろ調べると、このバラツキの原因は生体膜（例えば口腔内粘膜）の特性によることが大きいことが解った、試行錯誤して、上記のパルス操作をして、バラツキの少ない安定したデーターを得ることに成功した。
【発明を実施するための最良の形態】
【０００５】現在の実行機器レベルに沿って説明していく、図１において通常時はＡ領域で＋１．５Ｖの電圧値になっている、図２のＧＮＤ側プローブ２が口腔内粘膜に当てられ、接触側プローブ１が歯の金属部に当てられると、歯の電位に時間をかけて同化していき、Ｂ領域に移行していく、ある電圧値（ここでは＋０．５Ｖ）になるとＣＰＵ１８で計測開始プログラムが作動され、次にＣ領域に移る、ここで１３μＳｅｃ（ｔ１）のパルス電流を２回流す、次にＤ領域に移行する、ここで電流を流したことによる電圧の振れ及び電圧値の安定性（振れ：３ｍＶ以下、安定性：１０ｍＶ／Ｓｅｃ以下）の確認が出来た場合のみＥ領域に移行できる、もし６００ｍＳｅｃ間に安定性が確認出来ないと測定を中止する、安定性の確認が取れてＥ領域に移ると前回と同様１３μＳｅｃ（ｔ１）のパルス電流を２回流す、その後、Ｆ領域に移り、２０μＳｅｃ（ｔ２）のパルス電流を流してその値をＣＰＵ１８で計測する、その後電圧値をＣＰＵ１８で計測する、その後接触側プローブ１を部位から離すとＡ領域に移り、次の測定を待つ。ここでの数字はあくまでも、ある実際の製品での一例であり、他の部位（膜が厚いとか、場所及び種類が異なるとか）の計測の場合は数字が違ってくる。
【実施例】
【０００６】以下添付図に従がって実施例を説明する。図１は電圧のタイムチャートである。図２は製品の外形図である。図３は実際使用されている回路のブロック図である。【０００７】  図２において、口腔内で、歯と粘膜間の場合は、接触側プローブ１は歯の金属に接触され、ＧＮＤ側プローブ２は口腔内粘膜に接触され、歯と歯の間の場合は、プローブ１，２をそれぞれの歯に接触され、生体表面の皮膚の経絡間の測定の場合は各経絡ポイントに水を塗り、各プローブを接触する。経絡ポイントを見つけるためには各プローブを移動させ、連続変化している電圧表示ＬＣＤ５の電圧値が急速に下がる位置をしらべる（例えば今まで１Ｖ以上の値であったものが５０ｍＶ以下になるとか）、これは経絡間では抵抗値が極端に小さくなっているためである。この方法にて、小さな領域（ワンポイント）にて経絡の位置を測定できる。その時の電流値がある値を越える（１μＡ以上とか）とパルス電流測定をし、電流表示ＬＣＤ４に電流値が、電圧表示ＬＣＤ５に電圧値が固定的に表示される。ある値については自由に内部で設定できる。この製品は携帯用なっていて脱着コネクター３により容易にプローブ１，２側と本体ケース７側を分けられる。電源は電池ＢＯＸ６内に乾電池が内蔵されている。【０００８】図３は当製品の回路ブロックである。
端子８は接触側プローブ１と接続される。端子９はＧＮＤ側プローブ２と接続される。ＧＮＤ側プローブ２を口腔内粘膜に、接触側プローブ１を歯の金属に当てると、プローブ間の電圧は電圧側増幅器１２で電圧増幅され、絶対値回路１３にて入力信号の符号（＋−）に関わらず、＋の値となる。次にフィルター１４はアクティブ・フィルターであり、大きい、色々の周波数のノイズを除き、直流成分のみとする。この値をＣＰＵ１８のｄ端子で電圧値を読む、入力信号の符号（＋−）は符号判定回路１９にてＨＩ，ＬＯＷとしてＣＰＵ１８のｅ端子より読み込まれる。次に電圧調整器１５により、直前の＋の入力信号は−の出力信号に変えられる。もし，ＣＰＵ１８のｅ端子が−の判定を示すならば、ＣＰＵ１８のｃ端子よりＬＯＷが出力され、電圧調整器１５の−出力値は相応の大きさの−出力値となり、符号に関わらず同じ電流値が流れるように調整してある。電流値を計測する場合は、ＣＰＵ１８の端子ａ及び端子ｆをＨＩにすると、接触側アナログ・スイッチ１０及びＧＮＤ側アナログ・スイッチ１１がＯＮになる。そうすると、ＧＮＤからＧＮＤ側アナログ・スイッチ１１を経てＧＮＤ側プローブ２、口腔内粘膜、生体内、歯の金属、接触側プローブ１、接触側アナログ・スイッチ１０、抵抗１６、電圧調整器１５の出力、と１方向に電流はながれる。抵抗１６の両端子の電圧は、電流側増幅器１７を経てＣＰＵ１８のｂ端子より電流値として読まれる。
ここでは口腔内粘膜と歯の間の測定についてのべたが、歯と歯の間の測定や、生体表面の経絡間の測定などについても同様な流れである。また一般的には、歯は経絡の１種と考えられてる。
【発明の効果】
【０００９】以上の機能は高インピーダンスで不安定な要素の多い、少しでも電流を流せば系そのものが変わってしまうような、生体の計測には最適である。
【図面の簡単な説明】
【００１０】
【図１】今回発明された製品の電圧、電流の流れを示すタイムチャートの説明図である。
【図２】今回発明された製品の外形の説明図である。
【図３】今回使用した電子回路のブロック図である。
【符号の説明】
【００１１】１    接触側プローブ
２    ＧＮＤ側プローブ
３    脱着コネクター
４    電流表示ＬＣＤ
５    電圧表示ＬＣＤ
６    電池ＢＯＸ
７    本体ケース
８    接触側端子
９    ＧＮＤ側端子
１０  接触側アナログ・スイッチ
１１  ＧＮＤ側アナログ・スイッチ
１２  電圧側増幅器
１３  絶対値回路
１４  アナログ・フィルター
１５  電圧調整器
１６  抵抗
１７  電流側増幅器
１８  ＣＰＵ
１９  符号判定回路
【図１】
2008142494.tif 000003
【図２】
2008142494.tif 000004
【図３】
2008142494.tif 000005
(57)【要約】【課題】できるだけ小さいスペースで多くのカードを、取り出し易いかたちで収納できる、カードホルダーの提供【解決手段】切り込みを設けたケースと、切り込みとスライド用爪を設けた複数の中間台紙と、スライド用爪を設けた後部台紙により構成された、台紙のスライドによりカードの出し入れをしやすくした、スライド式カードホルダーの提供。【選択図】図１
2008142486.tif 000002
【特許請求の範囲】
【請求項１】
切り込みを設けたケースと、切り込みとスライド用爪を設けた複数の中間台紙と、スライド用爪を設けた後部台紙により構成された、台紙のスライドによりカードの出し入れをしやすくした、スライド式カードホルダー。
【発明の詳細な説明】
【技術分野】
【０００１】本発明はカードホルダーのポケット部分の台紙に、スライド用の切り込みと爪を設け、全長を伸縮させる事のできる、カードホルダーに関するものである。
【背景技術】
【０００２】従来、クレジットカード等のカードホルダーは、本型や、段々になり一部の見えるポケット型や、扇型などがあった。
【発明の開示】
【発明が解決しようとする課題】
【０００３】本型は多くのカードが入れられるが、取り出す際に必要なカードが探し難い。
ポケット型は探しやすいが、数多く入らない。
扇型は多く入れられるし探しやすいが財布には、入り難い。
【課題を解決するための手段】
【０００４】切り込みを設けたケースと、切り込みとスライド爪を設けた複数の中間台紙と、スライド爪を設けた後台紙により構成された、台紙のスライドによりカードの出し入れをしやすくした、スライド式カードホルダーの提供。
【発明の効果】
【０００５】収納時には小さくまとまり、使用時に伸ばしてそれぞれのカードの一部が見え、判別しやすく、取り出しやすい。
【発明を実施するための最良の形態】
【０００６】  以下、本発明の実施の形態を説明する。
（イ）ケース（１）の前面に左右均等な２本の切り込みａ（５）を設ける。
（ロ）中間台紙（２）には、ケース（１）の切り込みａ（５）に根元が収まる位置にスラ      イド爪ａ（４）を設け、ケース（１）の切り込みａ（５）に重ならない様に切り込      みｂ（７）    を設ける。
（ハ）後台紙（３）には、中間台紙（２）の切り込みｂ（７）に根元が収まる位置にスラ      イド爪ｂ（８）を設ける。
（ニ）ケース（１）の切り込みａ（５）に中間台紙（２）のスライド爪ａ（４）を差し込      み、中間台紙（２）の切り込みｂ（７）に後台紙（３）のスライド爪ｂ（８）を差      し込む。
本発明は以上の様な構成で、これを使用する時は後台紙（３）の上部を持ち、引き上げる事によりカード（６）の出し入れがしやすくなる。
また中間台紙は、切り込み及びスライド爪の位置をかえて枚数を増やす事により、カードの収納枚数を増やす事ができる。
【図面の簡単な説明】
【０００７】
【図１】本発明の使用時の正面図
【図２】本発明の使用時の側面の断面図
【図３】本発明の収納時の正面図
【図４】本発明の収納時の側面の断面図
【符号の説明】
【０００８】    １  ケース
２  中間台紙
３  後台紙
４  スライド爪ａ
５  切り込みａ
６  カード
７  切り込みｂ
８  スライド爪ｂ
【図１】
2008142486.tif 000003
【図２】
2008142486.tif 000004
【図３】
2008142486.tif 000005
【図４】
2008142486.tif 000006
(57)【要約】【課題】靴の緊縛体等を締めていっても羽３が互いに当たり、締められない場合、靴の中で足が前方に動いてつま先を損傷する。逆に締めて固定できるサイズの小さい靴の場合は、つま先が常に靴に当たり損傷する。また、足に対し幅広の靴で緊縛体等を締め上げると靴に当たる甲の上部に圧力が集中し痛くなる。【解決手段】靴のアッパーと足を最大限に密着させるため、足の内側の土踏まず部２Ｍにおけるソールとアッパーを、通常よりも深くえぐった所で結合させる。なお、アウトソール２Ｃの土踏まず部２Ｍはえぐらなくてもかまわない。また、緊縛体等の取付位置を変更できるようにすることで調整範囲を広げ、上記課題を解決したものである。【選択図】図１
2008142485.tif 000002
【特許請求の範囲】
【請求項１】
足と靴を密着させるため、紐やベルクロ等（以下緊縛体と呼ぶ）の効果を最大限に発揮できるように、ソールとアッパーの土踏まず部の結合を足の中指と踵の中心を結んだ線よりも深くえぐった位置で行う靴の構造。
【請求項２】
靴において、緊縛体を締め切ってもゆるい場合に、さらに調整を可能にするため、緊縛体の取付位置を任意に決定できる靴の構造。
【発明の詳細な説明】
【技術分野】
【０００１】本発明は靴の幅の調整範囲を広げ足にフィットする靴の構造に関するもの。
【背景技術】
【０００２】靴は、様々な足の形に対応するため、数種類のサイズが用意されているが、一つの靴の長さに対して何種類か幅も選べるようにするには、製作ラインや在庫管理等にコストがかかるため、靴の長さに対して広めの靴幅にし、靴に対して足の幅が広い場合は紐やベルクロ等（以下緊縛体と呼ぶ）をゆるめ、足が靴に対し細い場合はきつく緊縛体を締めることで微調整していた。
【発明が解決しようとする課題】
【０００３】課題１は、足が甲低、細幅の場合、靴の緊縛体を締めていっても図１の羽３が互いに当たり、それ以上締められないので、靴の中で足が前方に動いてつま先を損傷し、逆に締めて固定できるようにサイズを小さい靴を履く場合は、靴の長さも短くなるため、つま先が常に靴に当たり損傷する点。課題２は、図３のように足に対し幅広の靴で緊縛体を締め上げると靴に当たる甲の上部に圧力が集中し痛くなる点である。
【課題を解決するための手段】
【０００４】羽３を切ったり、折り返したり、靴紐を通す穴の場所を変更できるようにすることで課題１を解決する。また、土踏まず部２Ｍのアッパーが土踏まずを包むようにし、圧力を分散させることで、課題２を解決する。なお、足の指の付け根に当たる２Ｆと２Ｍの境目部および踵部の幅は足の幅が広い人に対応するよう、広めにしておく。土踏まず部は通常より細いが緊縛体による調整で幅広の足に対応する。
【発明を実施するための最良の形態】
【０００５】図１のとおり、インソール２Ａの外周に沿ってアッパー１をミッドソール２Ｂに結合させる。土踏まず部２Ｍのソール２とアッパー１は足の中指と踵を結ぶ直線よりも小指側にえぐった部分で結合する。結合方法や製法の種類は問わない。さらに、羽３上で緊縛体の取付位置を決定できるようにし、緊縛体の調整範囲をより広げる。また、アウトソール２Ｃの土踏まず部２Ｍはインソール２Ａにあわせて、くり抜かなくてもかまわない。なお、靴の調整範囲を広げる手法として、くるぶしに靴が当たらないように、くるぶしの部分を低くしたり、足首が細い人でも足が前にずれないようにアッパーの甲部分を足首側まで延長する、ソールの屈曲点を足の指の付け根よりつま先側にしない等については、実施されるものとする。
【実施例】
【０００６】図２は通常の靴を細幅の足の者が履いた場合の土踏まず部の断面図である。足の甲の一点が靴と接するために固定されず、圧力が集中して足を痛める原因となる。図３は本発明の靴を細幅の足の者が履いた場合の土踏まず部の断面図である。アッパー１と足がくるむように密着しているため、圧力が分散して足を痛めない。また、足がしっかり固定されるため、つま先部分を長くしたり、指の付け根部の幅を広くしても足が靴の中でずれない。【０００７】図２と図３から、本発明により、細幅や甲低の足にも対応し、足を包み込むので、足にフィットすることがわかる。【０００８】図１の３は緊縛体を取り付ける部分の羽で、緊縛体として紐を使用している。紐を通す穴を開けて足に合う様に調整してから穴を開けることで、緊縛体等による調整範囲を広げることができる。細幅や甲低の場合は、点線部を切断や内側に折る等してから穴を開ける。手間はかかるが、購入後に裾上げをするズボンと同様に受け入れられると考える。調整後の仕上げを良くするために、靴の修理屋等に穴を開けてもらって調整することが考えられる。最も簡便なのは、錐等を靴に同梱し、購入者が穴を開ける手法である。
【発明の効果】
【０００９】以上のように２点の発明で、靴の幅の調整範囲が飛躍的に増大するので、一つの靴の長さに対して用意する幅の種類を削減でき、製作側にとっては工場ラインの削減や在庫の管理の減少に貢献する。使用者側は自分に合わない靴を履く可能性が減る。第一発明により、緊縛体等の調整効果が最大限に発揮され、アッパーが土踏まずと直接密着するため良好なフイット感が得られる。また、サポーターのように足に密着するため接触部分の圧力が分散され、ずれや圧力による足の痛みや外反母趾の防止と共にアッパーが土踏まずを支えるので偏平足の改善が期待される。また、足と靴が一体化するのでスポーツの記録の向上が期待される。第二発明により、靴の修理店等に調整を依頼することで、経済効果や雇用創出が期待される。この２点の発明を併用するのが最良であるが、どちらか一方だけ用いてもかまわない。なお、この２つの発明は通常の靴に限らずスノーボードのブーツなど、靴全般に転用が可能であり、足のトラブル解決に貢献するもの。
【図面の簡単な説明】
【００１１】
【図１】本発明による靴の分解図である。
【図２】通常の靴を足幅が細い者が履いた場合の土踏まず部の断面図である。
【図３】本発明による靴を足幅が細い者が履いた場合の土踏まず部の断面図である。
【符号の説明】
【００１２】１      アッパー
Ａ−Ａ’断面図の切断方向
２Ａ    インソール
２Ｂ    ミッドソール
２Ｃ    アウトソール
２Ｆ    つま先部
２Ｍ    土踏まず部
２Ｅ    踵部
３      羽
４      足
５      ウェルト
【図１】
2008142485.tif 000003
【図２】
2008142485.tif 000004
【図３】
2008142485.tif 000005
(57)【要約】【課題】ゴルフ練習場等で使用されていろゴルフティーは、ゴム製のものが多く、ティーアップして打撃練習する際、ティーの感触が手に残り、違和感を持つ事が少なくない。また、ティーが固定されているため、クラブヘッドの運動エネルギーが充分にゴルフボールに伝わらず、飛距離が伸びづらい構造になっている。【解決手段】ゴルフティーの円筒部に２本以上のスリットを施し、ショットのインパクトの際にゴルフティーの円筒部が分割しバラケることによって、手に伝わる違和感を解消する。また、ゴルフクラブの運動エネルギーが、ゴルフボールに伝わりやすくなり、飛距離を伸ばしやすくなる。さらにゴルフクラブから受ける負荷が分散吸収されるため、ゴルフティー本体の耐久性をアップする事ができる。【選択図】図１
2008142490.tif 000002
【特許請求の範囲】
【請求項１】
円筒構造の先端部にゴルフボール支持させるゴム製ゴルフティーであり、円筒部の先端から、円筒部の根元付近まで、２本以上の垂直なスリットなどで分割されている構造である。しかし、円筒部根元、台座においては、つながった一体化された構造を有するゴルフティーである。
【請求項２】
ゴルフティー本体の台座又は、根元部分から柱状に４本乃至８本程度のピンを同じ高さで立上げ、そのピンの頂点はゴルフボールを載せる事ができる大きさの円周に配置させたゴム製の一体成形によるゴルフティーである。
【発明の詳細な説明】
【技術分野】
【０００１】本発明は主にゴルフの練習に使われるゴルフティーに関するものである。ゴルフボールを支える円筒部分の構造を工夫する事によって、手元に打撃の衝撃が残らず、飛距離をアップさせ、さらにゴルフティー本体の耐久性をアップするようにしたものである。
【背景技術】
【０００２】従来からゴルフの練習には人工芝に開けられた丸穴から台座付きゴムティーの円筒部分を出し、その円筒部先端にゴルフボールを載せ打撃練習を行なっている。
本コース競技用のゴルフティーとして、特許文献１や、特許文献２に開示されているものがある。
【特許文献１】  特開  ２００５−２７９０１４
【特許文献２】  特開  ２００４−２５４９６２
【発明の開示】
【発明が解決しようとする課題】
【０００３】ゴルフの打撃練習として、ゴルフ練習場を利用する事は一般的である。ドライバーショトの練習は、人工芝からなるショットマットから突き出ている台座付きのティーの先端にゴルフボールを載せ、打撃する事になる。しかし、ゴムの感触が手元に伝わり、違和感を持つ事も少なくない。また、クラブヘッドが台座付きティーの円筒部を打ち込む事により、ゴルフクラブヘッドの運動エネルギーがゴルフボールに伝わりきれず、充分な飛距離を得難くしている。
【課題を解決するための手段】
【０００４】これらの課題を解決するために、これまで一体化していた台座付きティーの円筒部分に先端部から根元に向けてスリットを垂直に施す。そのスリットは２本以上設ける事により、ティー円筒部に衝撃が加わった場合、容易に円筒部が分割され、直後に元の形状に戻る事が可能になる。
【発明の効果】
【０００５】台座付きティーの円筒部にスリットを入れる事により、ゴルフボールをセットし打撃した際に手に残っていたティーの感触である違和感は大幅に改善できる。また、クラブヘッドの運動エネルギーは、ティー円筒部が衝撃で分割されるため、ゴルフボールに伝わりやすくなり、充分な飛距離を得ることができるようになる。さらに、ティー円筒部が衝撃と同時に分割する事にで、クラブヘッドからの負荷を分散吸収するため、ティー本体の耐久性を改善できる。
【発明を実施するための最良の形態】
【０００６】図面に基づいて、この発明に係わるゴルフティーについての最良の形態を詳細に説明する。
合成樹脂あるいはゴムなどの同効素材を用い、一体成形によりゴルフティー本体１を得る。【０００７】台座２は直径５０ｍｍ程度で、厚みは１．５ｍｍから３ｍｍ程度である。【０００８】台座２の中心より円筒部４を立ち上げる。円筒部の高さは３０ｍｍ乃至７０ｍｍ程度であり、この高さがゴルフボールのティーアップ時の高さとなる。
また、円筒部の外径は１５ｍｍ乃至２５ｍｍ程度で厚みは３ｍｍ程度である。【０００９】円筒部先端５から円筒部根元３に向けて、垂直にスリット６を２本以上設ける。
スリット６及び円筒部４は、ゴルフボール７の重量が加わっても充分に保持できる強度を有している。しかし、ゴルフクラブのヘッドが触れた場合、分割してバラケ負荷を分散吸収し、元の形状に戻る。
【産業上の利用可能性】
【００１０】本発明に係わるゴルフティーは、工業的に量産する事が可能であるため、産業上の利用可能性を有している。
【図面の簡単な説明】
【００１１】
【図１】ゴルフティー本体の斜視図である
【図２】ゴルフティー使用側面図である。
【符号の説明】
【００１２】１      ゴルフティー本体
２      台座
３      円筒部根元
４      円筒部
５      円筒部先端
６      スリット
７      ゴルフボール
８      ショットマット
【図１】
2008142490.tif 000003
【図２】
2008142490.tif 000004
(57)【要約】      （修正有）【課題】サンダル等の履物を、ベランダや庭先に置いておくと、埃や雨、太陽光などが、劣化、汚損の原因となるので、それを解決するための、サンダルボックスを提供する。【解決手段】サンダル、靴等を乗せる事ができるベース板３と、ベース板に設けられた、摺動するスライド板２と、スライド板に連結されベース板を覆うことが出来る蓋体１と、蓋体でベース板を覆っている状態に保つストッパーより構成され、ストッパーを外す事で蓋体が回動するとともに、スライド板が一方向に摺動するサンダルボックス。【選択図】図１
2008142487.tif 000002
【特許請求の範囲】
【請求項１】
サンダル、靴等を乗せる事ができるベース板と、ベース板に設けられた、摺動するスライド板と、スライド板に連結されベース板を覆うことが出来る蓋体と、蓋体でベース板を覆っている状態に保つストッパーより構成され、ストッパーを外す事で蓋体が回動するとともに、スライド板が一方向に摺動する事を特徴とする、サンダルボックス。
【発明の詳細な説明】
【技術分野】
【０００１】本発明は、サンダル等をベランダや庭先等に置いておくと、埃や雨、太陽光などが、劣化、汚損の原因となるので、それを解決する為の、サンダルボックスに関するものである。
【背景技術】
【０００２】従来は底板の無い箱を履物の上に被せる発明が知られている、（特許文献１）。
【特許文献１】  特許公開  ２００３−１６９７１
【発明の開示】
【発明が解決しようとする課題】
【０００３】そのため次のような問題点があった。
履物を出し入れするのに手を使わなければならないので物を持った状態では出来ないので、効率が悪い。
【課題を解決するための手段】
【０００４】サンダル、靴等を乗せる事ができるベース板と、ベース板に設けられた、摺動するスライド板と、スライド板に連結され、ベース板を覆うことが出来る蓋体と、蓋体でベース板を覆っている状態に保つストッパーより構成され、ストッパーを外す事で蓋体が回動するとともに、スライド板が一方向に摺動する事を特徴とする、サンダルボックス。
【発明の効果】
【０００５】本発明は、庭、ベランダ等に置くサンダル、靴等を、埃、雨、直射日光等で、劣化、汚損するのを防ぐため、サンダル等をのせるベース板とベース板を覆う蓋体と密閉状態を保つロック機構で構成され、蓋体の開閉は足の指先だけで出来るようにしたので、不自然な姿勢で腰などを痛めることなく、サンダル等の出し入れが出来る構造である。
【本発明を実施するための最良の形態】
【０００６】以下、本発明の第１の実態の形態を説明する。
（イ）蓋体（１）とスライド板（２）の間に蓋体はね上げバネ（１４）を入れ蝶番（１３）で連結する。ベース板（３）とアーム（４）の間にアームはね上げバネ（１５）を入れベース板連結ピン（６）でベース板（３）とアーム（４）を連結する。蓋体（１）もアーム（４）と蓋体連結ピン（５）で連結し、蓋体（１）とベース板（３）を一体化させる。
（ロ）スライド板（２）をベース板（３）の裏側に取り付けられているスライド板ガイド（１６）の間に入れ、アーム（４）と蓋体連結ピン（５）及びベース板連結ピン（６）で連結することによってアーム（４）の可動範囲内でスライド板（２）が前後に摺動する。
（ハ）蓋体（１）部分の裏側に蓋体ロックレバー受（１０）があり、蓋体（１）とベース板（３）が密閉状態になると蓋体ロックレバー（９）と蓋体ロック受がかみ合ってロックされる。
（二）使用にあたっては、サンダル等をベース板（３）の上に乗せ足の指先で蓋体（１）の先端部分を押し下げ、蓋体ロックレバー（９）が作動する迄、押し下げることによって蓋体（１）とベース板（３）がロックされ、密閉状態になる。
（ホ）サンダルを出す時はペダル（８）を足の指先で押し下げることによって蓋体ロックレバー（９）が作動しロックが解除され、蓋体（１）とスライド板（２）の間に取り付けられた蓋体はね上げバネ（１４）の復元力で蓋体（１）が押し上げられ、又、ベース板（３）に連結されているアーム（４）も蓋体（１）と同様にアームはね上げバネ（１５）の復元力でアーム（４）を押し上げるのと同時にスライド板（２）を後方に摺動させながら蓋体（１）が開いていくので、蓋体（１）の開度が小さくてすむ。
【０００７】本発明の第２の実態の形態を説明する。
（イ）第１の発明と原理及び動作は同じであるが、スライド板（２）及びスライド板ガイド（１６）をベース板（３）の両サイドに取り付けたものである。
【図面の簡単な説明】
【０００８】
【図１】本発明の第１の実施の形態の全体斜視図
【図２】本発明の第１の後方斜視図
【図３】本発明の第１の裏側アーム取付部の斜視図
【図４】本発明の第１の使用状態を示す斜視図
【図５】本発明の第２のスライド板取付部の斜視図
【符号の説明】
【０００９】１    蓋体
２    スライド板
３    ベース板
４    アーム
５    蓋体連結ピン
６    ベース板連結ピン
７    アーム移動溝
８    ペダル
９    蓋体ロックレバー
１０  蓋体ロックレバー受
１１  つま先ストッパー
１２  かかとストッパー
１３  蝶番
１４  蓋体はね上げバネ
１５  アームはね上げバネ
１６  スライド板ガイド
【図１】
2008142487.tif 000003
【図２】
2008142487.tif 000004
【図３】
2008142487.tif 000005
【図４】
2008142487.tif 000006
【図５】
2008142487.tif 000007
(57)【要約】【課題】  ハンガーに固定機能を持たせる事で、安価で且つ容易に衣類等の乾燥をより確実に、より短時間に行い、また、汚れの付着を防ぐことにある。【解決手段】  １ハンガーの上部に２洗濯バサミを固定器具として一体型に付属させてあることを特徴とする。【選択図】図１
2008142488.tif 000002
【特許請求の範囲】
【請求項１】
（１）固定器具を有するハンガーである事。これは物干し竿や鴨居、箪笥、手摺等ハンガーを止めておきたい物にハンガーを固定させるという作用、効果を支える構成要件です。
【発明の詳細な説明】
【技術分野】
【０００１】  本発明は、家庭用及び業務用において、衣類その他を掛ける等の際に使用されるハンガーに関する。
【背景技術】
【０００２】  従来、一般的に使用されるハンガーは、物干し竿等に掛けて衣類等を乾燥させたり、箪笥その他に保管等する場合に使用される物である。しかしそれは物干し竿や鴨居、箪笥、手摺等に対しては、単に引っ掛けておく機能しか無かった。【０００３】  ハンガーの機能は、衣類等を着用させたりして、当該衣類やその他の物を乾燥させたり、保管等をする事である。特に、一般的に期待されているのが、洗濯したり、何らかの理由により濡れてしまった衣類等を物干し竿等に掛けて乾燥させる機能であるが、これは比較的穏やかな天候状態の下で使用される場合や屋内において使用される場合には効果的に働くが、風が強く吹く天候状態の屋外においては、物干し竿等に沿って滑って移動したり、吹き飛ばされて落下したりしてしまい、他の別の器具や装置を併用しない限り、物干し竿等に固定する機能を有する物ではなかった。
【発明の開示】
【発明が解決しようとする課題】
【０００４】  上述の如く、従来技術に係るハンガーは、比較的穏やかな天候状態の下で使用される場合や屋内において使用される場合には効果的に働く機能を有する物であり、風が強く吹く天候状態の屋外においては、他の別の器具や装置の併用無しで物干し竿等に固定する機能を有する物ではなかった。【０００５】  このため、天候状態等によっては、複数のハンガー同士及び衣類同士の偏りや接近等により空気がその間を流れにくくなったり、日光が当たりにくくなったりして、乾燥が不充分な状態になったり、落下により地面等の汚れ等が衣類等に付着してしまう可能性が高いのが現状である。【０００６】  本発明は、このような点に鑑みて成されたものであり、その目的は、ハンガーに固定機能を持たせる事で、安価で且つ容易に衣類等の乾燥をより確実に、より短時間に行い、また、汚れの付着を防ぐことにある。
【課題を解決するための手段】
【０００７】  上述の目的を達成する本発明のハンガーは、固定機能を有するハンガーであって、ハンガー上部に洗濯バサミを固定器具として一体型に付属されたことを特徴とする。
【発明の効果】
【０００８】  以上説明したように本発明によれば、ハンガーの上部に洗濯バサミを固定器具として一体型に付属させ、その洗濯バサミを物干し竿や鴨居、箪笥、手摺等に固定する事によって、強風その他の原因によって複数のハンガー同士及び衣類同士の偏りや接近等が起こりにくくなり、その間の空気の流れを確保する事が可能になり、日光が当たりにくくなることも防ぐ事が出来、また、落下を防ぐ事も出来る。それによって、乾燥が不充分な状態になったり、落下により地面等の汚れ等が衣類等に付着してしまう可能性をより低くさせる事が可能となる。
【発明を実施するための最良の形態】
【０００９】  以下、本発明の実施の形態を図面に基づき詳細に説明する。【００１０】  図１は本発明の実施の形態に係り、図１はその外観正面図である。【００１１】  図１に示すように、本ハンガーは、上部に洗濯バサミを固定器具として一体型に付属させたものである。【００１２】  １ハンガーは衣類その他の物を着用させるため等に使用される。【００１３】  １ハンガーの上部には２洗濯バサミを固定器具として一体型に付属させてある。一例として、２洗濯バサミを物干し竿等に止め、固定される。【００１４】  物干し竿に固定された場合は、２洗濯バサミが物干し竿をはさむ力によって、従来のハンガーのように強風によって移動したり落下したりする事を防ぐ。
【実施例】
【００１５】  １ハンガーは例えば、Ｗ３７０ｍｍ×厚み６ｍｍの寸法を有しており、衣類等を着用させるために一般的且つ最適の外形を成している。【００１６】  １ハンガーと２洗濯バサミを合わせた場合は例えば、Ｈ１８０ｍの寸法を有しており、物干し竿や箪笥等に固定して使用するために一般的且つ最適の外形を成している。【００１７】  ２洗濯バサミは例えば、Ｗ７７ｍｍ×Ｈ６０ｍｍ×厚み１０ｍｍの寸法を有しており、図１においては左側に記載されている物体を挟む部分の内径はＷ３７ｍｍ×Ｈ２３ｍｍの寸法を有しており、物干し竿や箪笥等に固定して使用するために一般的且つ最適の外形を成している。
【産業上の利用可能性】
【００１８】  本発明は家庭用及び業務用として広く一般的に使用されているハンガーを製造、販売される産業分野で利用する事が出来る。
【図面の簡単な説明】
【００１９】
【図１】  本発明の実施の形態に係るハンガーの外観正面図である。
【符号の説明】
【００２０】  １  ハンガー
２  洗濯バサミ
【図１】
2008142488.tif 000003
(57)【要約】【課題】  通気性を有する包材と消臭剤に柔軟性を持たせることで、今まで設置することが困難とされていた自動車室内の曲面部に設置することを可能にする自動車用薄型消臭材を提供することを目的とする。  【解決手段】  本発明は、ポリプロピレン製のフィルムに有孔加工を施し、封筒状(開口部を除く３辺の内１辺を折り加工、残りの２辺をシール加工した)に加工したものに繊維状活性炭をシート状に加工したものを入れ、開口部をシールした車用薄型消臭材である。【選択図】図１
2008142245.tif 000002
【特許請求の範囲】
【請求項１】
通気性を有する包材に消臭剤を封入してなる消臭材であって、前記包材および前記消臭剤はシート状である、消臭材。
【請求項２】
前記包材および前記消臭剤が屈曲性を有する、請求項１に記載の消臭材。
【請求項３】
前記包材は合成樹脂からなり、表面に通気孔を有する、請求項１または２に記載の消臭材。
【請求項４】
前記消臭剤は、活性炭繊維シートである、請求項１〜３のいずれか一項に記載の消臭材。
【発明の詳細な説明】
【技術分野】
【０００１】
本発明は、消臭材に係り、特に曲面に設置する際に好適なシート消臭材に関する発明である。 
【背景技術】
【０００２】
従来の消臭材は、消臭能のある固形物またはシートを通気性のある樹脂製のケースに入れているものが市販されている（例えば、特許文献１参照。）。 
このような場合、ケースに柔軟性がないため曲面へ設置ができないという問題があった。
【特許文献１】特開平７−１２４４６９号公報
【発明の開示】
【発明が解決しようとする課題】
【０００３】
本発明は、上記問題を解決するためになされたもので、本発明の課題は、ケースに柔軟性がないため曲面へ設置ができないということである。
【課題を解決するための手段】
【０００４】
本発明では、上記課題を解決するために、通気性を有する包材に消臭剤を封入してなる消臭材であって、前記包材および前記消臭剤はシート状である、消臭材を提供する。
【０００５】
前記包材および消臭剤は曲げ半径１．７ｃｍ以上の屈曲性を満たすものを使用することで、曲面に設置することが出来る。
【発明の効果】
【０００６】
本発明によれば、曲面に設置できるという効果がある。また包材・消臭剤ともにシート状なので、狭い場所など目立たない場所に設置することができる。さらに包材につや消し加工をしたものを使用すれば、映り込みを防止することが出来る。
【発明を実施するための最良の形態】
【０００７】
本発明に係るシートはカットシート（薄片）である。２重、３重であってもよい。
【０００８】
前記包材の形状は複数のカットシートの端部を接合して、あるいは折り曲げて一端を接合して、内部に消臭剤を封入または挟持する形状のものが挙げられる。
【０００９】
前記包材の材質は合成樹脂、紙、合成皮革、天然皮革のいずれかを使用できる。合成樹脂製がコスト、強度、質感を満足するものとして好ましい。
【００１０】
本発明の消臭材は、特に自動車室内に適用する場合、前記包材表面の色としては目立たないようにするためにも濃色系が好ましい。
また明るい場所での映りこみを軽減させるためにもつや消し加工を施してあることが望ましい。
【００１１】
前記包材が通気性を有さない材質の場合、通気孔を設ける必要がある。通気孔は複数であってもよい。包材の表面、裏面のいずれか、あるいは両面に通気孔を設ける。
【００１２】
本発明に係る消臭剤としては臭気成分を物理的に吸着する活性炭、ゼオライト、などの多孔質体や臭気成分を化学的に補足する複合酸化物などの化学吸着剤、分解作用を引き起こす酸化チタンなどの触媒作用のある物質などが挙げられる。
【００１３】
前記消臭剤の形状はシート状である。シートは複数枚使用してもよい。
【００１４】
前記消臭剤のシートへの加工法としては活性炭やゼオライトなどの臭気成分を吸着させる機能がある物質をシート状に加工したものなどが挙げられる。例えば繊維状活性炭をシート状に成型加工した製品が上市されている。
【００１５】
また、前記消臭剤のシートへの他の加工法としては、活性炭やゼオライトなどの臭気成分を吸着させる機能がある物質を繊維等に接着させてからシート状に加工したものを使用することができる。例えば粉末状の活性炭をウレタンフォーム、不織布などに含浸、接着させてシート状に加工した製品が上市されている。
【００１６】
これらのうち、繊維状活性炭をシート状に成型加工したもの、すなわち活性炭繊維シートは、比表面積が大きく、少量でも優れた吸着性を長期間持続させることが可能であることから好適に利用できる。
【００１７】
さらに前記消臭剤の表面の色としては目立たないようにするためにも濃色系が好ましい。
また明るい場所での映りこみを軽減させるためにもつや消し加工を施してあることが望ましい。
【００１８】
本発明品の使用場所としては自動車室内、特にサンバイザー、グローブボックス下、ラゲッジスペースの側面などの曲面部位や目立たない部位に粘着テープ、面ファスナー、クリップなどで固定することができる。
【００１９】
本発明品を固定するための粘着テープとしては曲面への固定に対応するために対反発性に優れたテープを使用することが望ましい。例えば柔軟な不織布に感圧性粘着剤を含浸させたテープなどが上市されている。
【実施例】
【００２０】
以下、本発明の実施の形態について、実施例を用いて具体的に説明する。なお、本発明はその要旨を越えない限り、以下に説明する実施の形態に限定されるものではない。
【００２１】
包材としてはポリプロピレン製のフィルム（厚み０．２ｍｍ、つや消しグレー、品番：PPS-CM909TC〔シーダム株式会社〕）に有孔加工を施したものを使用し、消臭能を有するシートとしては繊維状活性炭をシート状に加工したもの（デキシーシート〔ユニチカ製〕）を使用した。有孔加工を施したポリプロピレン製のフィルムを（開口部を除く３辺の内１辺を折り加工、残りの２辺をシール加工して封筒状とし、その中に繊維状活性炭をシート状に加工したものを入れ、開口部をシールした。（図１参照）
【図面の簡単な説明】
【００２２】
【図１】本発明の一実施例である消臭材の平面図である。
【符号の説明】
【００２３】
１…ケース
２…消臭シート
３…折加工部
４…シール加工部
【図１】
2008142245.tif 000003
(57)【要約】【課題】  たとえば電動車両用インバータとして高電圧、大電流動作が可能なパワー半導体モジュール（例えばＩＧＢＴモジュール）に代表される半導体装置の放熱部材や熱応力を緩和する部材等として用いられるアルミニウム部材をめっき層等を介さずに接合できるはんだを提供する。【解決手段】  質量％でＡｇ１０％以下、Ａｌ５％以下、残部実質的にＳｎよりなるアルミニウム部材直接接合用はんだである。好ましくは、Ａｇ５％以下、Ａｌ１％以下とする。【選択図】        図１
2008142729.tif 000002
【特許請求の範囲】
【請求項１】
質量％でＡｇ１０％以下、Ａｌ５％以下、残部実質的にＳｎよりなることを特徴とするアルミニウム部材直接接合用はんだ。
【発明の詳細な説明】
【技術分野】
【０００１】
本発明は、たとえば半導体装置の放熱部材等に用いられるアルミニウム部材の接合に適したアルミニウム部材直接接合用はんだに関するものである。
【背景技術】
【０００２】
近年、電動車両用インバータとして高電圧、大電流動作が可能なパワー半導体モジュール（例えばＩＧＢＴモジュール）が用いられている。こうした半導体モジュールにおいては、半導体チップが自己の発熱によって高温になるため、その放熱を効率よく行なうという機能が要求される。このため、この半導体モジュールにおいて、半導体チップを搭載する基板としては、機械的強度が高く、熱伝導率の高いセラミックス基板が用いられている。そしてこのセラミックス基板としては、両面に金属層が予めを形成されたものが使用されている。
さらに、セラミックス基板からの熱を拡散するため、放熱部材が用いられることが多い。放熱部材としては、セラミックス基板との熱膨張差を低減した銅・タングステン、あるいは銅・モリブデンの複合材料が用いられる場合が多い。また、たとえば特許文献１に記載されているように熱伝導率の点から銅、あるいは安価でヤング率が低いという点からアルミニウムも使用されることがある。
【０００３】
【特許文献１】特開２００６−２４０９５５号公報
【発明の開示】
【発明が解決しようとする課題】
【０００４】
放熱部材としてのアルミニウムは、銅ほどでは無いが高い熱伝導率を有し、かつヤング率が低いために、熱応力の発生が少なく、半導体部品用途として適している。
しかし、アルミニウムを放熱部材として適用する場合の問題点として、はんだ付け性が悪いという問題がある。これは、アルミニウム表面は酸化膜で覆われているため、Ｓｎ−Ｐｂ系あるいはＰｂフリーのはんだとして広く用いられるようになった、Ｓｎ−Ａｇ−Ｃｕ系はんだを用いて接合しようとしても十分な接合強度が得られないということである。
本発明の目的は、上記問題点に鑑み、アルミニウム部材を直接接合できる新しいはんだを提供することである。
【課題を解決するための手段】
【０００５】
本発明者は、Ｓｎ−Ａｇ系はんだにＡｌを添加することで、アルミニウム部材に対して、優れた接合強度を得るこができることを見出し本発明に到達した。
即ち、本発明は、質量％でＡｇ１０％以下、Ａｌ５％以下、残部実質的にＳｎよりなるアルミニウム部材直接接合用はんだである。
ここで、元素記号での表記は、構成要素中における特定の元素の存在を示すものとして用いている。
【発明の効果】
【０００６】
本発明によれば、半導体装置等における放熱部材や熱応力を緩和する有効なアルミニウム部材を直接はんだ接合することができるため、半導体装置等の信頼性向上に極めて有効である。
【発明を実施するための最良の形態】
【０００７】
本発明の重要な特徴は、アルミニウム部材の直接接続用はんだとしてＡｌ含有のＳｎ−Ａｇはんだを見出したことにある。
以下に、詳しく説明する。
まず、本発明におけるはんだの基本組成は、Ｓｎ−Ａｇ系である。Ｓｎ−Ａｇにより基本的なはんだとしての液層線温度を調整する。また、Ａｇは耐熱疲労特性改善に著しい効果がある元素である。
Ａｇは含有量が多いと液相線温度が高くなるため、３５０℃以下ではんだ付けをするためのはんだ組成としては、Ａｇが１０質量%以下とした。
【０００８】
本発明においては、Ｓｎ−Ａｇ系はんだにＡｌを含有されることが重要であり、はんだ中のＡｌは酸化活性が高いため、アルミニウム部材上に表面酸化皮膜が存在していても、十分な接合強度を確保できるものとなる。
はんだ中のＡｌの含有が多過ぎると接合中に酸化が進行しやすくなり、接続界面に酸化物が介在し、接合強度が得られにくくなる。そのため、本発明においては、Ａｌ量は、５質量%以下とした。また、Ａｌの含有量が多いと塗付時の粘性が高くなり塗付性悪くなることからＡｌの含有量は、１質量%以下とすることが望ましい。
また、はんだ中のＡｌの効果を明確に得るためには、はんだ中のＡｌの含有量は、０．０１質量％以上が好ましい。さらに接合強度を求めるためには、０．１質量％以上であることが望ましい。
【実施例】
【０００９】
１０×２０×０．２ｍｍの銅板と５０×２０×１ｍｍのアルミニウム板を準備した。
このアルミニウム板を３２０℃に加熱し、表１に示す本発明および比較例のはんだを塗付するとともに、銅層側を２６０℃に加熱した状態で同様のはんだを塗付した。その後、アルミニウム板と銅層を重ねて接合した。１ｋｇｆで接合層を加圧しながら２００℃まで徐冷し、その後室温まで無荷重で冷却した。
得られた接合体に対して、ピール試験を行った。ピール試験は、結果を表１に示す。また、代表的な接合部分の組織として試料１および試料２の走査型電子顕微鏡によるミクロ組織写真を図１および図２にそれぞれ示す
【００１０】
表１に示すように、本発明のＳｎ−Ａｇ−Ａｌ系はんだを用いて接合層を形成した接合体は、アルミニウム板にめっき等の処理をしていないにも関わらず、ハンドリングによって剥離しない接合強度が得られることが確認できた。一方、Ｓｎ−Ａｇ−Ｃｕはんだを用いた場合は、アルミニウム板上ではんだが濡れずセラミックス基板を作製することができなかった。
【００１１】
また、本発明に適用したＳｎ−Ａｇ−Ａｌ系はんだのうち、Ａｌの量の多いはんだを使用した場合は、接合体を作製することはできたが、ピール試験時の取り扱いでアルミニウム板との界面で剥離が発生し、接合強度の測定ができなかった。このことから、はんだ中のＡｌの過度の含有は接合強度を低下させる傾向があることが確認された。
本発明に適用したＡｌ含有量が０．３質量％のはんだを用いた場合においては、いずれもピール試験が実施できる強度を有し、ピール試験においては、アルミニウム板の界面で剥離が発生した。この時の試験では、実施例の２つ試料では接合強度にばらつきがあることが確認され、接合条件等による影響によるものと推定された。
【００１２】
【表１】
2008142729.tif 000003
【図面の簡単な説明】
【００１３】
【図１】本発明のＳｎ−Ａｇ−Ａｌ系はんだを用いて形成した接合部分の金属ミクロ組織の一例を示す走査型顕微鏡写真である。
【図２】本発明のＳｎ−Ａｇ−Ａｌ系はんだを用いて形成した接合部分の金属ミクロ組織の別の例を示す走査型顕微鏡写真である。
【図１】
2008142729.tif 000004
【図２】
2008142729.tif 000005
(57)【要約】      （修正有）【課題】特殊技術食物繊維麺であるところてんうどんは、製麺上、問題なく食物繊維を栄養標準基準量（ところてんうどん１００ｇ中食物繊維量３ｇ以上）を維持し、通常の麺類と食感等勝るとも劣らない麺類として提供する。【解決手段】乾燥させた天草を水に戻してざるで上げ、天草の水分をとる。その工程を３回くり返して乾燥させて白くなった天草４２ｇを水分を加えて炊き出し、ところてんとなる材料を抽出する。ところてんとなる材料を漉した後、残った天草まで使用することにより、特殊技術食物繊維麺である、ところてんうどんを製造する。【効果】  十分に熟し寝かせて製造した、ところてんうどんは、乾麺として用いた場合、それを食する時あらゆる出汁に適合し、美味しくなる。【選択図】なし【特許請求の範囲】
【請求項１】
麺類の製造に際し、乾燥させた天草を水に戻して炊き出し固まるまでのところてんを用い、それをうどん用小麦粉に加え、製麺して得られる、特殊技術食物繊維麺。
【請求項２】
乾燥させた天草を水に戻して炊き出し、うどんに用いる小麦粉に対して固まるまでのところてんの使用する総重量は５３％として製造された、請求項１に記載する特殊技術食物繊維麺とする。
【請求項３】
うどん用小麦粉９００ｇに対して乾燥させた天草を３０ｇ使用し製麺した場合、水分３６．３ｇ／１００ｇ、たんぱく質７．４ｇ／１００ｇ、脂質０．８ｇ／１００ｇ、灰分０．４ｇ／１００ｇ、炭水化物５５．１ｇ／１００ｇ、エネルギー２５７ｋｃａｌ／１００ｇ，ナトリウム６．７ｍｇ／１００ｇ、食物繊維２．８ｇ／１００ｇとなる。請求項１及び請求項２に記載の特殊技術食物繊維麺ところてんうどんは、うどん用小麦粉９００ｇに対して乾燥させた天草を４２ｇ使用する。
【発明の詳細な説明】
【発明の詳細な説明】
【背景技術】
【０００１】  近年、食物繊維は、生活習慣病等の予防の点からも必要性が重要視されている。【０００２】  うどんという麺類も既に食物繊維を添加しようとする試みが色々なされている。【０００３】  栄養標準基準によると麺類１００ｇ中、食物繊維を３ｇ以上含有する場合には、麺類に、源、供給源と表示することが出来る。本発明のところてんうどんは、うどん用小麦粉９００ｇに対して乾燥させた天草を４２ｇ使用する。それにより、先の栄養標準基準を満たすことができる。【０００４】  従来、麺類としてうどんを製造する場合、うどん用小麦粉９００ｇに対して、寒天粉を８ｇ混入して、製造する場合があるが、それでは塩分も２ｇ以上必要となり、食物繊維等の必要量が満たされず生活習慣病等の予防にも適合しにくくなる。